(57)【要約】  両ハウジングの離脱状態でレバーが回動したときのムービングプレートの移動を規制する。レバー（２４）には、離脱用カム面（３０）と、離脱用カム面（３０）より回動軸（１３）から遠い領域に配された逃がし空間（３１）とが形成されている。両ハウジング（１０、４０）が嵌合している状態でレバー（２４）を初期位置へ回動する過程では、離脱用カム面（３０）がムービングプレート（１８）のカム突起（２３）を回動軸（１３）から遠ざかる方向へ押圧することで、両ハウジング（１０、４０）が離脱される。両ハウジング（１０、４０）が離脱し且つムービングプレート（１８）が保護位置にある状態でレバー（２４）が初期位置から嵌合位置へ回動する過程では、カム突起（２３）が、離脱用カム面（３０）から離間しながら逃がし空間（３１）内に収容される。
2019234950.tif 000002
【特許請求の範囲】
【請求項１】
正面側へ筒状に突出したフード部を有する雄側ハウジングと、
前記雄側ハウジングに取り付けられ、前記フード部で包囲されたタブを有する複数の雄端子金具と、
前記フード部内に収容され、前記複数のタブの先端部を貫通させた状態で位置決めする保護位置と、前記保護位置より背面側の退避位置との間で移動可能なムービングプレートと、
前記ムービングプレートに形成されたカム突起と、
前記雄側ハウジングに取り付けられ、初期位置と嵌合位置との間で回動可能なレバーと、
前記フード部内に嵌入可能な雌側ハウジングとを備え、
前記レバーには、離脱用カム面と、前記離脱用カム面よりも前記レバーの回動中心から遠い領域に配された逃がし空間とが形成され、
前記雄側ハウジングと前記雌側ハウジングが嵌合している状態において前記嵌合位置の前記レバーを前記初期位置へ回動する過程では、前記離脱用カム面が前記カム突起を前記レバーの回動中心から遠ざかる方向へ押圧することで、前記ムービングプレートが前記退避位置から前記保護位置へ移動し、
前記雄側ハウジングと前記雌側ハウジングが離脱し且つ前記ムービングプレートが前記保護位置にある状態で前記レバーが前記初期位置から前記嵌合位置へ回動する過程では、前記カム突起が、前記離脱用カム面から離間しながら前記逃がし空間内に収容されることを特徴とするレバー式コネクタ。
【請求項２】
前記レバーに形成されたカム溝と、
前記雌側ハウジングに形成され、前記雄側ハウジングと前記雌側ハウジングの嵌合過程では、前記レバーが前記初期位置から前記嵌合位置へ回動するのに伴い前記カム溝によって嵌合方向へ押圧されるカムピンとを備え、
前記逃がし空間が前記カム溝と連通し、
前記離脱用カム面が前記カム溝に形成されていることを特徴とする請求項１記載のレバー式コネクタ。
【請求項３】
前記逃がし空間は、前記カム溝よりも浅く凹ませた形態であり、
前記カムピンの突出寸法が前記カム突起の突出寸法よりも大きく設定されていることを特徴とする請求項２記載のレバー式コネクタ。
【請求項４】
前記カム溝には、前記カム突起と非接触であり、且つ前記雄側ハウジングと前記雌側ハウジングを嵌合する過程で前記カムピンに押圧力を付与する嵌合用カム面が形成されていることを特徴とする請求項２又は請求項３記載のレバー式コネクタ。
【請求項５】
前記逃がし空間の入口が前記カム溝の入口と隣接して連通していることを特徴とする請求項２ないし請求項４のいずれか１項に記載のレバー式コネクタ。
【請求項６】
前記レバーには、前記レバーの回動中心と対向し、且つ前記逃がし空間の外周縁に沿うように配された規制面が形成されていることを特徴とする請求項１ないし請求項５のいずれか１項に記載のレバー式コネクタ。
【請求項７】
前記雄側ハウジングは、ストッパを有し、
前記ムービングプレートは、前記保護位置において前記ストッパに係止され、前記雌側ハウジングが前記フード部内に浅く嵌合されたときに前記ストッパとの係止状態を解除させるストッパ受部を有していることを特徴とする請求項１ないし請求項６のいずれか１項に記載のレバー式コネクタ。
【請求項８】
前記ムービングプレートは、前記タブの先端部が貫通するプレート本体部の外周に周壁部を有し、前記ストッパ受部は、前記周壁部に設けられ、前記ストッパは、前記フード部に設けられている請求項７に記載のレバー式コネクタ。
【請求項９】
前記ストッパは、前記レバーに設けられた板状のアーム部に近づく向きに撓み変形可能とされ、前記フード部は、前記ストッパと前記アーム部との間に前記ストッパを覆うようにして過度撓み規制部を有している請求項８に記載のレバー式コネクタ。
【請求項１０】
前記レバーに形成されたカム溝と、
前記レバーに形成され、前記カム溝に連通する待機溝と、
前記雌側ハウジングに形成され、前記雄側ハウジングと前記雌側ハウジングの嵌合過程では、前記レバーが前記初期位置から前記嵌合位置へ回動するのに伴い、前記カム溝の奥側に変位し、前記カム溝によって嵌合方向へ押圧されるカムピンとを備え、
前記待機溝は、前記カム溝より浅く形成され、
前記レバーは、前記初期位置から前記嵌合位置へ向かう側とは反対側に回動して待機位置に至るようになっており、
前記レバーには、前記カム溝と前記待機溝との間に、前記待機位置にて前記カム突起の前記待機溝への進入を許容するが、前記カムピンの前記待機溝への進入を規制する段差が形成されていることを特徴とする請求項１ないし請求項９のいずれか１項に記載のレバー式コネクタ。
【発明の詳細な説明】
【技術分野】
【０００１】
本発明は、レバー式コネクタに関するものである。
【背景技術】
【０００２】
特許文献１には、前方へ筒状に突出したフード部を有する雄側ハウジングと、雄側ハウジングに回動可能に取り付けたレバーと、雄端子金具のタブを貫通して位置決めした状態でフード部内に収容されたムービングプレートと、フード部内に嵌合される雌側ハウジングとを備えたレバー式コネクタが開示されている。ムービングプレートは、タブの前端部を貫通させる保護位置と保護位置より後方の退避位置との間で移動可能となっている。【０００３】
両ハウジングを嵌合する際には、レバーが初期位置にある状態で、雌側ハウジングをフード部内に収容し、雌側ハウジングのカムピンとムービングプレートのカム突起を合体した状態でレバーのカム溝の入口に進入させる。この状態からレバーを嵌合位置側へ回動させると、カムピンとカム溝との摺接による倍力作用により、雌側ハウジングが雄側ハウジングに引き寄せられて両ハウジングが嵌合状態となる。【０００４】
両ハウジングが嵌合している状態においてレバーを初期位置へ回動させると、カム突起とカム溝との摺接による倍力作用により、ムービングプレートが、フード部の前端側へ移動して雌側ハウジングを雄側ハウジングから遠ざかるように押し動かすので、両ハウジングを離脱することができる。レバーが初期位置に戻ると、ムービングプレートは、タブの前端部を貫通させる保護位置に復帰する。
【先行技術文献】
【特許文献】
【０００５】
【特許文献１】特開平１１−６７３３７号公報
【発明の概要】
【発明が解決しようとする課題】
【０００６】
上記レバー式コネクタは、両ハウジングを離脱した状態でレバーを初期位置と嵌合位置との間で回動させると、カム突起とカム溝との摺接により、ムービングプレートがフード部の奥方へ移動する。ムービングプレートがフード部の奥方へ移動すると、タブが、ムービングプレートの前方で露出した状態となるので、タブに対して異物が干渉することが懸念される。【０００７】
本発明は上記のような事情に基づいて完成されたものであって、雄側ハウジングと雌側ハウジングが離脱した状態でレバーを回動させたときに、ムービングプレートが移動することを規制することを目的とする。
【課題を解決するための手段】
【０００８】
本発明は、
正面側へ筒状に突出したフード部を有する雄側ハウジングと、
前記雄側ハウジングに取り付けられ、前記フード部で包囲されたタブを有する複数の雄端子金具と、
前記フード部内に収容され、前記複数のタブの先端部を貫通させた状態で位置決めする保護位置と、前記保護位置より背面側の退避位置との間で移動可能なムービングプレートと、
前記ムービングプレートに形成されたカム突起と、
前記雄側ハウジングに取り付けられ、初期位置と嵌合位置との間で回動可能なレバーと、
前記フード部内に嵌入可能な雌側ハウジングとを備え、
前記レバーには、離脱用カム面と、前記離脱用カム面よりも前記レバーの回動中心から遠い領域に配された逃がし空間とが形成され、
前記雄側ハウジングと前記雌側ハウジングが嵌合している状態において前記嵌合位置の前記レバーを前記初期位置へ回動する過程では、前記離脱用カム面が前記カム突起を前記レバーの回動中心から遠ざかる方向へ押圧することで、前記ムービングプレートが前記退避位置から前記保護位置へ移動し、
前記雄側ハウジングと前記雌側ハウジングが離脱し且つ前記ムービングプレートが前記保護位置にある状態で前記レバーが前記初期位置から前記嵌合位置へ回動する過程では、前記カム突起が、前記離脱用カム面から離間しながら前記逃がし空間内に収容されるところに特徴を有する。
【発明の効果】
【０００９】
両ハウジングが離脱した状態では、カム突起が、離脱用カム面に押されることによってレバーの回動中心から最も遠い位置に配される。そして、逃がし空間は、離脱用カム面よりもレバーの回動中心から遠い領域に配されている。これにより、両ハウジングが離脱した状態においてレバーが嵌合位置側へ回動する過程では、逃がし空間内に収容されるカム突起がレバーの回動中心に接近することはないので、ムービングプレートは保護位置に保持される。
【図面の簡単な説明】
【００１０】
【図１】実施例１のレバー式コネクタを構成する雄側ハウジングにおいてレバーが初期位置にある状態をあらわす側面図
【図２】雄側ハウジングと雌側ハウジングが離脱した状態においてレバーが初期位置にあるときの側断面図
【図３】雄側ハウジングと雌側ハウジングが離脱した状態においてレバーが嵌合位置にあるときの側断面図
【図４】雄側ハウジングと雌側ハウジングが離脱してレバーが初期位置にある状態において、カム突起とカム溝と逃がし空間との位置関係をあらわす側断面図
【図５】雄側ハウジングと雌側ハウジングが離脱してレバーが嵌合位置にある状態において、カム突起とカム溝と逃がし空間との位置関係をあらわす側断面図
【図６】図５のＸ−Ｘ線断面図
【図７】雄側ハウジングと雌側ハウジングが嵌合した状態をあらわす側断面図
【図８】雄側ハウジングと雌側ハウジングが嵌合を開始してレバーが初期位置にある状態において、カム突起とカムピンとカム溝と逃がし空間との位置関係をあらわす側断面図
【図９】雄側ハウジングと雌側ハウジングが嵌合してレバーが嵌合位置にある状態において、カム突起とカムピンとカム溝と逃がし空間との位置関係をあらわす側断面図
【図１０】図９のＹ−Ｙ線断面図
【図１１】雄側ハウジングの斜視図
【図１２】ムービングプレートの斜視図
【図１３】レバーの斜視図
【図１４】雌側ハウジングの斜視図
【図１５】雄側ハウジングのストッパの平断面図
【図１６】ストッパがストッパ受部を係止する状態をあらわす平断面図
【図１７】ストッパが雌側ハウジングの解除部によって撓み変形させられ、ストッパとストッパ受部との係止が解除された状態をあらわす平断面図
【図１８】ストッパの拡大斜視図
【図１９】ストッパと過度撓み規制部とアーム部との位置関係をあらわす拡大正面図
【図２０】雄側ハウジングの側面図
【図２１】ムービングプレートの側面図
【図２２】レバーが待機位置にある状態をあらわす側面図
【図２３】レバーが待機位置にある状態をあらわす側断面図
【図２４】レバーが待機位置にある状態において、カム突起とカム溝と待機溝との位置関係をあらわす側断面図
【図２５】（Ａ）はレバーが初期位置にある状態において、カム突起とカムピンとカム溝と待機溝との位置関係をあらわす側断面図であり、（Ｂ）は（Ａ）に対応した図２４のＺ−Ｚ線断面図
【発明を実施するための形態】
【００１１】
本発明は、前記レバーに形成されたカム溝と、前記雌側ハウジングに形成され、前記雄側ハウジングと前記雌側ハウジングの嵌合過程では、前記レバーが前記初期位置から前記嵌合位置へ回動するのに伴い前記カム溝によって嵌合方向へ押圧されるカムピンとを備え、前記逃がし空間が前記カム溝と連通し、前記離脱用カム面が前記カム溝に形成されていてもよい。この構成によれば、カム溝は、両ハウジングの嵌合過程におけるカムピンの移動経路と、両ハウジングの離脱過程におけるカム突起の移動経路を兼ねる。したがって、カム溝とは別にカム突起専用の離脱用移動空間をレバーに形成する場合に比べると、レバーの形状を簡素化することができる。
【００１２】
本発明は、前記逃がし空間は、前記カム溝よりも浅く凹ませた形態であり、前記カムピンの突出寸法が前記カム突起の突出寸法よりも大きく設定されていてもよい。この構成によれば、両ハウジングの嵌合過程でカムピンが逃がし空間内に誤進入することを防止できる。
【００１３】
本発明は、前記カム溝には、前記カム突起と非接触であり、且つ前記雄側ハウジングと前記雌側ハウジングを嵌合する過程で前記カムピンに押圧力を付与する嵌合用カム面が形成されていてもよい。この構成によれば、両ハウジングを嵌合する工程で、カム突起とカムピンを合体させた状態でカム溝内を移動させることができる。
【００１４】
本発明は、前記逃がし空間の入口が前記カム溝の入口と隣接して連通していてもよい。この構成によれば、カム溝の入口と逃がし空間の入口が隣接して連通しているので、カム溝の入口と逃がし空間の入口が別々の空間である場合に比べると、レバーの形状を簡素化することができる。
【００１５】
本発明は、前記レバーには、前記レバーの回動中心と対向し、且つ前記逃がし空間の外周縁に沿うように配された規制面が形成されていてもよい。この構成によれば、カム突起が規制面に当接することにより、保護位置のムービングプレートがフード部の正面側へ離脱することを防止できる。
【００１６】
本発明は、前記雄側ハウジングは、ストッパを有し、前記ムービングプレートは、前記保護位置において前記ストッパに係止され、前記雌側ハウジングが前記フード部内に浅く嵌合されたときに前記ストッパとの係止状態を解除させるストッパ受部を有していてもよい。
従来においては、ムービングプレートが保護位置にあり、雄側ハウジングと雌側ハウジングが離脱した状態で、レバーを嵌合位置へ向けて回動させようとすると、ムービングプレートのカム突起がレバーのカム溝等に係止されることにより、ムービングプレートが退避位置へ不用意に落ち込むのを防止することができた。
しかるに本発明の場合、雄側ハウジングと雌側ハウジングが離脱した状態で、レバーが嵌合位置へ向けて回動する過程では、カム突起が逃がし空間内に収容されるため、カム突起がレバーのカム溝等に係止されるという上記従来の構造を形成することができないという事情がある。
その点、上記の構成によれば、雄側ハウジングのストッパがムービングプレートのストッパ受部を係止して、ムービングプレートを保護位置に保持するため、カム突起がレバーのカム溝等に係止される上記従来の構造を形成する必要がない。このようにしてレバーではなく雄側ハウジングがストッパを有することにより、ムービングプレートを保護位置に保持することができ、タブを信頼性良く保護することができるようになる。また、雌側ハウジングがフード部内に浅く嵌合されたときにストッパとストッパ受部との係止状態が解除されるため、ムービングプレートが保護位置から退避位置へ支障なく移動することができる。
【００１７】
本発明において、前記ムービングプレートは、前記タブの先端部が貫通するプレート本体部の外周に周壁部を有し、前記ストッパ受部は、前記周壁部に設けられ、前記ストッパは、前記フード部に設けられていてもよい。この構成によれば、プレート本体部がストッパ受部によって構造上の制約を受けることがなく、タブの配置の自由度等を高めることができる。
【００１８】
本発明において、前記ストッパは、前記レバーに設けられた板状のアーム部に近づく向きに撓み変形可能とされ、前記フード部は、前記ストッパと前記アーム部との間に前記ストッパを覆うようにして過度撓み規制部を有していてもよい。この構成によれば、ストッパが過度に撓み変形するのを防止することができる。また、ストッパがレバーと干渉するのを回避することができ、レバーの回動操作に支障を来たすことがない。
【００１９】
本発明は、前記レバーに形成されたカム溝と、前記レバーに形成され、前記カム溝に連通する待機溝と、前記雌側ハウジングに形成され、前記雄側ハウジングと前記雌側ハウジングの嵌合過程では、前記レバーが前記初期位置から前記嵌合位置へ回動するのに伴い、前記カム溝の奥側に変位し、前記カム溝によって嵌合方向へ押圧されるカムピンとを備え、前記待機溝は、前記カム溝より浅く形成され、前記レバーは、前記初期位置から前記嵌合位置へ向かう側とは反対側に回動して待機位置に至るようになっており、前記レバーには、前記カム溝と前記待機溝との間に、前記待機位置にて前記カム突起の前記待機溝への進入を許容するが、前記カムピンの前記待機溝への進入を規制する段差が形成されていてもよい。  この構成によれば、レバーを待機位置に至らすことができるので、待機位置にてレバーを他部材との干渉を回避可能な状態で配することができる。
従来の場合、カム溝には、レバーが初期位置から待機位置に回動する間、ムービングプレートのカム突起と係合しない遊び領域が設けられていた（例えば、特開平１１−３１７２５５号公報を参照）。しかし、従来においては、雌側ハウジングのカムピンが遊び領域に進入し得るため、雌側ハウジングがフード部内に浅く嵌合された後、レバーが初期位置から待機位置に誤って回動する虞があった。その結果、コネクタ嵌合作業の円滑性が損なわれる懸念があった。
その点、上記の構成によれば、レバーが初期位置に留め置かれ、雌側ハウジングがフード部内に浅く嵌合された状態では、カムピンがカム溝の入口側に進入するものの、段差によってカムピンの待機溝への進入が規制されるため、コネクタ嵌合時にレバーが初期位置から待機位置へ向けて誤って回動するのが阻止される。したがって、コネクタ嵌合作業を円滑かつ迅速に行うことができる。また、ムービングプレートのカム突起が待機溝に進入することにより、ムービングプレートが保護位置に安定して保持される。
【００２０】
＜実施例１＞
本発明を具体化した実施例１の主たる構造を図１〜図１４を参照して説明する。尚、以下の説明において、前後の方向については、図１〜５、７〜９における左方を前方と定義する。上下の方向については、図１〜１４にあらわれる向きを、そのまま上方、下方と定義する。尚、上方と正面側は同義であり、下方と背面側は同義である。
【００２１】
本実施例１のレバー式コネクタの概要を説明する。レバー式コネクタは、正面側へ筒状に突出したフード部１２を有する合成樹脂製の雄側ハウジング１０と、フード部１２内に嵌入可能であって左右両外側面に左右対称な一対のカムピン４１が突出形成された合成樹脂製の雌側ハウジング４０とを備えている。雄側ハウジング１０には、フード部１２で包囲されたタブ１７を有する複数の雄端子金具１５が取り付けられている。
【００２２】
フード部１２内には、複数のタブ１７の先端部を貫通させた状態で位置決めする保護位置と、保護位置より背面側（下方）の退避位置との間で上下方向に移動可能な合成樹脂製のムービングプレート１８が収容されている。ムービングプレート１８には左右一対のカム突起２３が形成されている。雄側ハウジング１０には、初期位置と嵌合位置との間で回動可能な合成樹脂製のレバー２４が取り付けられている。レバー２４は、カムピン４１と摺接しながら初期位置から嵌合位置へ回動することで雌側ハウジング４０と雄側ハウジング１０を嵌合させる倍力機能を発揮する。
【００２３】
＜雄側ハウジング１０及び雄端子金具１５＞
雄側ハウジング１０は、図１１に示すように、ロック状をなす端子保持部１１と、端子保持部１１の外周縁から上方へ角筒状に突出した形態のフード部１２とを有している。端子保持部１１内には、複数の雄端子金具１５の端子本体部１６が収容され、雄端子金具１５の先端部に形成したタブ１７が、端子保持部１１から上向きに突出してフード部１２内に収容されている。雄側ハウジング１０の左右両外側面には、左右一対の回動軸１３（レバー２４の回動中心）が形成されている。また、フード部１２の左右両外壁部には、その上端縁部（フード部１２の開口端縁部）を下方へ切欠した形態の左右一対の切欠部１４が形成されている。
【００２４】
＜ムービングプレート１８＞
ムービングプレート１８は、図１２に示すように、板厚方向をムービングプレート１８の移動方向と平行に向けた平板状をなすプレート本体部１９と、プレート本体部１９の外周縁から上方へ突出した周壁部２０とを有する単一部品である。プレート本体部１９には、複数のタブ１７を貫通させた状態で個別に位置決めする複数の位置決め孔２１が形成されている。周壁部２０の左右両側壁部には、周壁部２０の上端縁（開口端縁）から下方（背面側）へ切欠した形態の左右対称な一対のガイド溝２２が形成されている。
【００２５】
周壁部２０の左右両外側面には、夫々、両ガイド溝２２の溝縁部の下端部から突出した前後一対ずつのカム突起２３が形成されている。ムービングプレート１８をフード部１２内に収容した状態では、両カム突起２３が、切欠部１４からフード部１２の外側面外方へ突出する。カム突起２３は、後述するレバー２４のカム溝２８と逃がし空間３１内に収容され得るようになっている。
【００２６】
ムービングプレート１８は、周壁部２０をフード部１２の内周面に摺接させることで、傾くことなく保護位置（図２、３を参照）と退避位置（図７を参照）との間で移動することができる。ムービングプレート１８が保護位置にある状態では、タブ１７の先端部（上端部）がプレート本体部１９の位置決め孔２１を貫通するので、プレート本体部１９からのタブ１７の上方への突出寸法が小さく抑えられている。
【００２７】
ムービングプレート１８が退避位置にある状態では、プレート本体部１９が端子保持部１１の上端面（フード部１２の奥底面）に当接又は接近するので、位置決め孔２１にはタブ１７の基端側の部分が貫通する。したがって、プレート本体部１９からのタブ１７の上方への突出寸法は、保護位置にあるときよりも大きくなる。
【００２８】
＜レバー２４＞
レバー２４は、左右対称な一対の板状をなすアーム部２５と、両アーム部２５の先端部同士を連結する操作部２６とを有する単一部品である。両アーム部２５における基端側の位置には、左右方向に貫通した形態の軸受孔２７が形成されている。レバー２４は、軸受孔２７を回動軸１３に嵌合することで雄側ハウジング１０に取り付けられ、初期位置（図１、２、４、８を参照）と嵌合位置（図３、５、７、９を参照）との間で回動可能となっている。レバー２４を雄側ハウジング１０に取り付けた状態では、アーム部２５が、フード部１２の外側面と対向して切欠部１４を覆うように配される。
【００２９】
レバー２４には、両アーム部２５の内側面を凹ませた形態の左右対称な一対のカム溝２８が形成されている。カム溝２８は、軸受孔２７（レバー２４の回動中心）を包囲するような概ね弧状に湾曲した形状であり、カム溝２８の入口２８Ｅは、アーム部２５の外周縁に開口している。軸受孔２７からカム溝２８までの径方向の距離は、カム溝２８の入口２８Ｅで最も遠く、カム溝２８の奥端部において最も小さくなっている。
【００３０】
両ハウジング１０、４０の嵌合過程及び離脱過程では、ムービングプレート１８のカム突起２３と雌側ハウジング４０のカムピン４１が、カム溝２８内を相対移動するようになっている。カム溝２８の内側面のうち軸受孔２７（回動軸１３）と対向する外側の内側面は、嵌合用カム面２９として機能する。カム溝２８のうち軸受孔２７（回動軸１３）に対して背を向けた内側の内側面は、離脱用カム面３０として機能する。離脱用カム面３０は、嵌合用カム面２９よりも回動軸１３に近い位置に配されている。
【００３１】
レバー２４には、両アーム部２５の内側面を凹ませた形態の左右対称な一対の逃がし空間３１が形成されている。両ハウジング１０、４０が離脱した状態でレバー２４が初期位置と嵌合位置との間で回動する過程では、カム突起２３が逃がし空間３１内を相対変位するようになっている。アーム部２５の内側面からの逃がし空間３１の深さ寸法（回動軸１３の軸線と平行な寸法）は、カム溝２８の深さ寸法よりも小さく設定されている。したがって、カム溝２８及び逃がし空間３１の深さ方向において、嵌合用カム面２９は逃がし空間３１よりも奥方の領域に配されている。
【００３２】
逃がし空間３１に対するカム突起２３の進入深さは、逃がし空間３１の深さ寸法と同じか、それよりも僅かに小さい寸法とされている。カム突起２３が逃がし空間３１内を移動する際に、カム突起２３の突出端面（図６における左端面）は、逃がし空間３１の内側面と非接触の状態を保つか、逃がし空間３１の内側面に軽く摺接する。また、離脱用カム面３０は、カム溝２８及び逃がし空間３１の深さ方向において、逃がし空間３１と同じ深さ領域に配されている。したがって、離脱用カム面３０には、カム突起２３の外周面と後述するカムピン４１の外周面が摺接し得るようになっている。但し、嵌合用カム面２９には、後述するカムピン４１は摺接するが、カム突起２３は接触できない。
【００３３】
アーム部２５の内側面において、逃がし空間３１は、嵌合用カム面２９及び離脱用カム面３０よりも回動軸１３から遠い領域に配されている。逃がし空間３１は、その入口３１Ｅから奥端に至る全領域に亘ってカム溝２８と連通している。つまり、逃がし空間３１の入口３１Ｅは、カム溝２８の入口２８Ｅと隣接して連通している。また、逃がし空間３１は嵌合用カム面２９に対し径方向（回動軸１３と直交し且つレバー２４の回動方向と交差する方向）に隣接している。
【００３４】
アーム部２５には、回動軸１３に対し径方向に対向するように面する規制面３２が形成されている。規制面３２は、逃がし空間３１の外周縁に沿うように、且つ逃がし空間３１の入口３１Ｅから奥端に至る全領域に亘って形成されている。規制面３２のうち逃がし空間３１の入口３１Ｅよりも奥側の領域は、回動軸１３と同心の略円弧形をなしている。規制面３２の略円弧状領域と回動軸１３の中心との間の径方向の距離は、ムービングプレート１８が保護位置にあるときの回動軸１３の中心からカム突起２３の上端（カム突起２３のうち回動軸１３から最も遠い部位）までの距離より大きい寸法に設定されている。これにより、カム突起２３が逃がし空間３１内を相対移動する全過程で、カム突起２３は規制面３２と非接触の状態を保つ。
【００３５】
＜雌側ハウジング４０＞
雌側ハウジング４０は、全体としてブロック状をなし、ムービングプレート１８（フード部１２）内に嵌入し得るようになっている。雌側ハウジング４０内には、複数の雌端子金具４２が収容されている。雌側ハウジング４０の左右両外側面には、左右対称な一対のカムピン４１が突出形成されている。雌側ハウジング４０がムービングプレート１８内に嵌入すると、カムピン４１と一対のカム突起２３は、カムピン４１が一対のカム突起２３の間で前後に挟まれた状態で合体し得るようになっている。カムピン４１と一対のカム突起２３は、合体状態で上下方向（両ハウジング１０、４０の嵌合・離脱方向と平行な方向）に相対変位し得るようになっている。
【００３６】
カムピン４１とカム突起２３が合体した状態では、図１０に示すように、カムピン４１の突出端が、カム突起２３の突出端から側方（回動軸１３の軸線と平行な方向）へ突出するようになっている。また、カムピン４１の上下寸法はカム突起２３の上下寸法より大きく設定されているので、カムピン４１とカム突起２３が合体した状態では、カムピン４１の上端部と下端部のうち少なくとも一方の端部が、カム突起２３の上方又は下方へ突出した状態となる。
【００３７】
また、雄側ハウジング１０と雌側ハウジング４０の嵌合・離脱過程において、ムービングプレート１８には摺動抵抗等に起因する大きな負荷が作用しないので、カム突起２３の形状と寸法は、比較的剛性と強度の低い形態とされている。これに対し、雄側ハウジング１０と雌側ハウジング４０との間には、雄端子金具１５と雌端子金具４２との間の弾性接触に起因する大きな摺動抵抗が発生するので、レバー２４からカムピン４１に対して大きな負荷が作用する。そのため、カムピン４１は、カム突起２３よりも剛性と強度が高くなるような形状及び寸法とされている。
【００３８】
＜作用及び効果＞
雄側ハウジング１０と雌側ハウジング４０が離脱し、レバー２４が初期位置にある状態（図２を参照）では、図４に示すように、カム溝２８の入口２８Ｅと逃がし空間３１の入口３１Ｅが上向きに開口し、カム突起２３が、カム溝２８の入口２８Ｅの奥端面に当接又は接近するように位置する。カム突起２３がカム溝２８の入口２８Ｅに位置するとき、ムービングプレート１８は保護位置にある。保護位置のムービングプレート１８は、フード部１２に形成したストッパ３３に係止することにより、退避位置への移動を規制される（次の＜詳細態様１＞で詳述）。
【００３９】
この状態からフード部１２内に雌側ハウジング４０を浅く嵌入すると、雌側ハウジング４０は、ムービングプレート１８の周壁部２０内に嵌合され、プレート本体部１９の上面と接近して、つまり非接触で対向する状態となる。尚、このとき、雌側ハウジング４０がプレート本体部１９の上面に当接するようにしてもよい。ムービングプレート１８に雌側ハウジング４０が浅く嵌合するのに伴い、カムピン４１が、カム溝２８の入口２８Ｅに進入して一対のカム突起２３の間に進入し、カムピン４１とカム突起２３が合体した状態となる。このとき、図８に示すように、カムピン４１が入口２８Ｅの奥端面に当接し、カムピン４１の上端部（雌側ハウジング４０の嵌合方向後端部）がカム突起２３の上方へ突出した状態となる。
【００４０】
また、雌側ハウジング４０がストッパ３３を変位させるので、ムービングプレート１８は退避位置への移動が可能となる。この状態から初期位置のレバー２４を嵌合位置側へ回動させると、カムピン４１がカム溝２８の嵌合用カム面２９に摺接して倍力機能が発揮されるので、雌側ハウジング４０が雄側ハウジング１０に引き寄せられて嵌合が進む。
【００４１】
両ハウジング１０、４０の嵌合過程（レバー２４の回動過程）の初期においては、嵌合用カム面２９がカムピン４１の上端部を押圧するので、雌側ハウジング４０のみが下方（嵌合方向）へ移動する。この間、嵌合用カム面２９はカム突起２３に接触しないので、ムービングプレート１８は保護位置から動かない。雌側ハウジング４０は、僅かに移動したところで、プレート本体部１９の上面に面当たり状態で当接する。
【００４２】
これ以降、レバー２４の回動が進むのに伴い、ムービングプレート１８は、雌側ハウジング４０に押されることにより雌側ハウジング４０と一体となってフード部１２の奥方（下方）へ押し込まれる。そして、レバー２４が嵌合位置に到達すると、両ハウジング１０、４０が正規の嵌合状態となり、雄端子金具１５のタブ１７が雌側ハウジング４０内に進入して雌端子金具４２に接続される。
【００４３】
雌側ハウジング４０がプレート本体部１９に面当たりしたときから、レバー２４が嵌合位置へ回動するまでの間に、カム突起２３と嵌合用カム面２９は非接触の状態のままであるから、ムービングプレート１８と雌側ハウジング４０の上下方向の位置関係は変化しない。したがって、雌側ハウジング４０とプレート本体部１９は面当たりした状態を保つ。
【００４４】
このように、レバー２４が初期位置から嵌合位置へ回動する過程では、回動の初期に雌側ハウジング４０のみが移動することで、ムービングプレート１８と雌側ハウジング４０が当接して一体する。その後、嵌合位置に至るまでの間、雌側ハウジング４０はムービングプレート１８と一体化した状態を保ったまま雄側ハウジング１０と嵌合する。
【００４５】
また、上下方向においてカム突起２３の上端とカムピン４１の上端とが概ね同じ位置にあり、レバー２４が嵌合位置に至る過程や嵌合位置に到達した状態では、カム突起２３の上端部が嵌合用カム面２９より上方に位置することがある。そのため、カム突起２３の上端部がレバー２４と干渉することが懸念されるが、嵌合用カム面２９の上方には逃がし空間３１が隣接して配されているので、カム突起２３は、その上端部（一部）を逃がし空間３１に進入させることでレバー２４との干渉を回避している。
【００４６】
両ハウジング１０、４０が嵌合している状態から嵌合位置のレバー２４を初期位置へ回動させると、離脱用カム面３０がカム突起２３とカムピン４１に摺接することにより、退避位置のムービングプレート１８が上方（フード部１２の開口端側）へ押し動かされて保護位置へ移動するとともに、雌側ハウジング４０が上方へ押し動かされて雄側ハウジング１０から離脱する。
【００４７】
詳述すると、両ハウジング１０、４０が嵌合している状態では、図９に示すように、カム突起２３が離脱用カム面３０から大きく離間しているのに対し、カムピン４１の下端部は、カム突起２３の下端より下方へ突出し、離脱用カム面３０に対し接触又は接近している。そのため、レバー２４の初期位置側への回動初期は、離脱用カム面３０がカムピン４１の下端部のみに摺接し、雌側ハウジング４０が上方へ押し上げられてプレート本体部１９から離間する。この間、ムービングプレート１８は移動せず、カムピン４１がカム突起２３に対して相対的に上動する。
【００４８】
雌側ハウジング４０がプレート本体部１９から離間した後、レバー２４の回動が進むと、離脱用カム面３０がカム突起２３の下端部への摺接を開始する。これ以降は、レバー２４が初期位置に到達するまで、離脱用カム面３０がカム突起２３とカムピン４１の両方に摺接し、ムービングプレート１８と雌側ハウジング４０の両方が上方へ移動する。レバー２４が初期位置に戻ると、カムピン４１とカム突起２３がカム溝２８の入口２８Ｅに戻るので、雌側ハウジング４０を持ち上げれば、両ハウジング１０、４０を離脱させることができる。
【００４９】
尚、レバー２４を嵌合位置から初期位置へ回動させる過程で、離脱用カム面３０をカム突起２３のみに摺接させようとすると、プレート本体部１９で雌側ハウジング４０を離脱方向へ押し動かすことになる。この場合、カム突起２３には、雄側ハウジング１０と雌側ハウジング４０との間の大きな離脱抵抗に相当する負荷が作用するため、カム突起２３を大型化して強度の高い形態にする必要がある。カム突起２３を大型化すると逃がし空間３１も大きくする必要がある。逃がし空間３１を大きくすることは、レバー２４における肉薄領域を拡大することになるので、強度の観点からは好ましくない。
【００５０】
これを回避するため、本実施例１では、レバー２４が嵌合位置から初期位置へ回動する過程の初期において、離脱用カム面３０をカムピン４１のみに摺接させ、雌側ハウジング４０をプレート本体部１９から離間させた。その後、離脱用カム面３０がカム突起２３への摺接を開始してから、レバー２４が初期位置に到達するまでの間は、離脱用カム面３０をカム突起２３とカムピン４１の両方に摺接させ、雌側ハウジング４０とプレート本体部１９が離間した状態のまま離脱方向へ移動させるようにした。これにより、カム突起２３を小型化することが実現できた。
【００５１】
離脱用カム面３０のうちカム突起２３及びカムピン４１への当接領域は、嵌合・離脱方向に対して斜めをなすが、離脱用カム面３０の当接領域の傾斜角度はレバー２４の回動過程で変化していく。これに加え、カム突起２３とカムピン４１は嵌合・離脱方向と交差する方向に並ぶように配されている。そのため、レバー２４が一定角度回動したときにおける雌側ハウジング４０の移動距離とムービングプレート１８の移動距離が微妙に相違するが、雌側ハウジング４０とプレート本体部１９は充分に離間した状態に保たれているので、レバー２４の回動過程で雌側ハウジング４０とプレート本体部１９が干渉する虞はない。
【００５２】
また、両ハウジング１０、４０を離脱してレバー２４を初期位置に戻すと、ムービングプレート１８は保護位置に戻る。この状態では、レバー２４の操作部２６がフード部１２の開口領域よりも前方へ外れた位置にあるため、フード部１２の上端の全領域が開放された状態となる。しかし、ムービングプレート１８が保護位置にある状態では、プレート本体部１９からのタブ１７の上方への突出寸法が比較的小さいので、タブ１７に対して異物が干渉する虞はない。
【００５３】
本実施例１のレバー式コネクタでは、雄側ハウジング１０を他部材に取り付ける場合等に、両ハウジング１０、４０が離脱したままの状態でレバー２４を初期位置から嵌合位置へ回動することが行われる。レバー２４を嵌合位置へ回動させるときにレバー２４の嵌合用カム面２９がカム突起２３を押圧すると、ムービングプレート１８が退避位置へ落ち込んでしまい、プレート本体部１９からのタブ１７の突出寸法が大きくなってタブ１７が他部材の干渉によって変形を来す虞がある。
【００５４】
しかし、本実施例１のレバー式コネクタでは、カム突起２３が嵌合用カム面２９と干渉しないので、レバー２４からカム突起２３に嵌合方向の押圧力が作用することはない。また、離脱用カム面３０は、レバー２４の嵌合位置側への回動に伴ってカム突起２３から遠ざかる。そのため、両ハウジング１０、４０が離脱した状態でレバー２４が初期位置から嵌合位置へ回動すると、カム突起２３は、逃がし空間３１内に進入し、逃がし空間３１内を周方向に相対変位する。カム突起２３が逃がし空間３１内を相対変位する間、カム突起２３はレバー２４と非干渉の状態（レバー２４から径方向及び周方向の押圧力を受けない状態）を保つので、ムービングプレート１８は保護位置に保持される。
【００５５】
また、両ハウジング１０、４０が離脱した状態でレバー２４を嵌合位置へ回動した後、そのレバー２４を初期位置へ回動させると、カム突起２３は、逃がし空間３１内を相対変位してカム溝２８の入口２８Ｅに戻る。この間、カム突起２３には、離脱用カム面３０も嵌合用カム面２９も接触しないので、ムービングプレート１８は保護位置に保たれたままである。
【００５６】
本実施例１のレバー式コネクタは、レバー２４に嵌合用カム面２９と逃がし空間３１が形成されている。嵌合用カム面２９は、レバー２４を初期位置から嵌合位置へ回動する過程で、カム突起２３と非接触の状態でカムピン４１を嵌合方向へ押圧する。また、両ハウジング１０、４０が離脱し且つムービングプレート１８が保護位置にある状態でレバー２４が初期位置から嵌合位置へ回動する過程では、カム突起２３が嵌合用カム面２９と非接触の状態で逃がし空間３１内に収容される。
【００５７】
この構成によれば、逃がし空間３１内のカム突起２３には嵌合用カム面２９が接触しないので、ムービングプレート１８には嵌合方向の押圧力は作用しない。これにより、ムービングプレート１８を保護位置に保持することができる。また、カム溝２８は、カム突起２３を変位させる空間としてだけでなく、カムピン４１を変位させる空間としての機能も兼ね備えている。したがって、カム溝２８とは別に、両ハウジング１０、４０の嵌合過程でカムピン４１を変位させるための専用通路を形成する場合に比べると、レバー２４の形状を簡素化することができる。
【００５８】
本実施例１のレバー式コネクタは、レバー２４にカム溝２８が形成されている。カム溝２８は、入口２８Ｅから奥側に向かうほど回動軸１３（レバー２４の回動中心）に接近するように湾曲した形態である。レバー２４がカムピン４１に摺接しながら初期位置から嵌合位置へ回動する過程では、カム溝２８は、カム突起２３が回動軸１３に接近するように変位することを可能にする第１通路としての機能を発揮する。
【００５９】
同じくレバー２４には逃がし空間３１が形成されている。レバー２４がカムピン４１と非接触の状態で初期位置から嵌合位置へ回動する過程において、逃がし空間３１は、カム突起２３が回動軸１３との位置関係を変化させずに変位することを許容する第２通路としての機能を発揮する。したがって、両ハウジング１０、４０が離脱してレバー２４がカムピン４１と非接触となる状態において、レバー２４が初期位置から嵌合位置へ回動した場合、カム突起２３は、レバー２４の回動中心に接近しない状態を保ったままで逃がし空間３１内を変位する。したがって、ムービングプレート１８も保護位置から動くことはない。
【００６０】
本実施例１のレバー式コネクタは、レバー２４に、離脱用カム面３０と、離脱用カム面３０よりも回動軸１３から遠い領域に配された逃がし空間３１とが形成されている。両ハウジング１０、４０が嵌合している状態において嵌合位置のレバー２４を初期位置へ回動する過程では、離脱用カム面３０がカム突起２３を回動軸１３から遠ざかる方向へ押圧することで、両ハウジング１０、４０が離脱する。また、両ハウジング１０、４０が離脱し且つムービングプレート１８が保護位置にある状態でレバー２４が初期位置から嵌合位置へ回動する過程では、カム突起２３が、離脱用カム面３０から離間しながら逃がし空間３１内に収容される。
【００６１】
この構成によれば、両ハウジング１０、４０が離脱した状態では、カム突起２３が、離脱用カム面３０に押されることにより、カム溝２８においてレバー２４の回動軸１３から最も遠い位置に配される。そして、逃がし空間３１は、離脱用カム面３０よりも回動軸１３から遠い領域に配されている。したがって、両ハウジング１０、４０が離脱した状態においてレバー２４が嵌合位置側へ回動する過程では、逃がし空間３１内に収容されるカム突起２３が回動軸１３に接近することはない。これにより、ムービングプレート１８は保護位置に保持される。
【００６２】
本実施例１のレバー式コネクタは、雌側ハウジング４０にカムピン４１が形成されている。雌側ハウジング４０をフード部１２に嵌入してカムピン４１とカム突起２３を合体した状態では、カムピン４１の雄側ハウジング１０の外側面からの突出寸法が、カム突起２３の雄側ハウジング１０の外側面からの突出寸法よりも大きい。一方、レバー２４には、両ハウジング１０、４０の嵌合・離脱過程でカム突起２３とカムピン４１を収容するカム溝２８が形成されている。同じくレバー２４には、カム溝２８よりも浅く凹ませることでカムピン４１の進入を規制した逃がし空間３１が形成されている。逃がし空間３１は、カム溝２８よりも浅く凹ませた形態である。
【００６３】
そして、両ハウジング１０、４０が離脱し且つムービングプレート１８が保護位置にある状態でレバー２４が初期位置から嵌合位置へ回動する過程では、カム突起２３がレバー２４と非干渉の状態で逃がし空間３１内に収容される。したがって、ムービングプレート１８には嵌合方向の押圧力は作用しないので、ムービングプレート１８を保護位置に保持することができる。また、両ハウジング１０、４０の嵌合過程で、カムピン４１が逃がし空間３１内に誤進入することが防止される。
【００６４】
また、レバー２４には、両ハウジング１０、４０の嵌合過程でカム突起２３とカムピン４１を収容可能なカム溝２８が形成され、このカム溝２８に嵌合用カム面２９が形成されている。そして、逃がし空間３１は、嵌合用カム面２９に隣接し且つカム溝２８と連通している。逃がし空間３１がカム溝２８と連通しているので、両ハウジング１０、４０を嵌合する工程で、カム突起２３とカムピン４１を合体させた状態でカム溝２８内を移動させることができる。また、カム溝２８は、両ハウジング１０、４０の嵌合過程においてカム突起２３の移動経路を兼ねるので、カム溝２８とは別にカム突起２３専用の移動経路をレバー２４に形成する場合に比べると、レバー２４の形状を簡素化することができる。
【００６５】
また、逃がし空間３１は、嵌合用カム面２９よりも回動軸１３から遠い領域に配されている。この構成によれば、両ハウジング１０、４０が離脱した状態でレバー２４が初期位置から嵌合位置へ回動する過程で、カム突起２３はレバー２４の回動中心に接近しないので、ムービングプレート１８を保護位置に保持することができる。
【００６６】
また、レバー２４には、離脱用カム面３０が形成されている。両ハウジング１０、４０が嵌合した状態からレバー２４を初期位置側へ回動して両ハウジング１０、４０を離脱する過程では、離脱用カム面３０がカム突起２３を押圧することによりムービングプレート１８を保護位置側へ移動させるようになっている。この構成によれば、両ハウジング１０、４０が嵌合している状態でレバー２４を嵌合位置から初期位置へ回動させると、離脱用カム面３０がカム突起２３を押圧してムービングプレート１８を保護位置へ移動させる。ムービングプレート１８が保護位置へ移動する過程で両ハウジング１０、４０が離脱する。
【００６７】
また、雌側ハウジング４０には、両ハウジング１０、４０の嵌合過程で、レバー２４が初期位置から嵌合位置へ回動するのに伴いカム溝２８によって嵌合方向へ押圧されるカムピン４１が形成されている。逃がし空間３１はカム溝２８と連通しており、カム溝２８には離脱用カム面３０が形成されている。この構成によれば、カム溝２８は、両ハウジング１０、４０の嵌合過程におけるカムピン４１の移動経路と、両ハウジング１０、４０の離脱過程におけるカム突起２３の移動経路を兼ねる。したがって、カム溝２８とは別にカム突起２３専用の離脱用移動空間をレバー２４に形成する場合に比べると、レバー２４の形状を簡素化することができる。
【００６８】
また、逃がし空間３１の入口３１Ｅがカム溝２８の入口２８Ｅと隣接して連通しており、カム溝２８及び逃がし空間３１における入口２８Ｅ、３１Ｅよりも奥側の領域では、逃がし空間３１が、カム溝２８よりも回動軸１３から遠い領域に配されている。この構成によれば、カム溝２８の入口２８Ｅと逃がし空間３１の入口３１Ｅが隣接して連通しているので、カム溝２８の入口２８Ｅと逃がし空間３１の入口３１Ｅが連通しない別々の空間である場合に比べると、レバー２４の形状を簡素化することができる。
【００６９】
また、レバー２４には、回動軸１３と対向し、且つ逃がし空間３１の外周縁に沿うように配された規制面３２が形成されている。この構成によれば、カム突起２３が規制面３２に当接することにより、保護位置のムービングプレート１８が退避位置とは反対側へ移動してフード部１２の正面の開口から離脱することを防止できる。尚、両ハウジング１０、４０が離脱した状態でレバー２４を初期位置と嵌合位置との間で回動させる過程では、逃がし空間３１内を相対変位するカム突起２３が規制面３２とは非接触の状態を保つので、保護位置のムービングプレート１８が退避位置側へ落とし込まれる虞がない。
【００７０】
＜詳細態様１＞
次に、ストッパ３３とそのストッパ３３に関連する部分の詳細な構造及び作用を、主に図１５〜図２１を参照して説明する。
【００７１】
雌側ハウジング４０の左右両外側面には、カムピン４１を挟んだ前後両側に、一対ずつの解除部４３が突出形成されている（図１４を参照）。解除部４３は、上下方向に細長いリブ状をなし、カムピン４１より小さい突出寸法に形成されている。
【００７２】
フード部１２の左右両外壁部には、図２０に示すように、切欠部１４の開口の前後両側に、フード部１２の上端縁から一段低い位置にて前後方向に沿った端縁部３４が設けられている。フード部１２の左右外壁部には、それぞれの端縁部３４と対応する位置に、図１８に示すように、上下方向に延びて端縁部３４に開口するスリット３５が前後で対をなして設けられ、この対をなすスリット３５間に、一対ずつのストッパ３３（図１８には一つのみ図示）が撓み変形可能に設けられている。ストッパ３３は、撓み支点となる下端部から上端部にかけて片持ち状に延びる形態とされている。ストッパ３３は、図１５に示すように、フード部１２の対応する外壁部の周囲部分より薄肉とされ、外面が外壁部の周囲外面より内側に引っ込むようにして配されている。ストッパ３３の上端部（先端部）には、係止突起３６が内側に突出して設けられている。係止突起３６の下面は、上方へ向けて次第に内側に寄るように傾斜する傾斜面３７とされている。
【００７３】
係止突起３６の上面には、図１８、１９に示すように、係止面３８及び解除面３９がそれぞれ前後に分割して設けられている。係止面３８は、係止突起３６の前後中央側（切欠部１４に近い側）の半部（内側半部）に切欠状に凹設された凹みの奥端において前後方向に沿って配されている。解除面３９は、係止突起３６の前後中央から離れた側（切欠部１４から遠い側）の半部（外側半部）において下方へ向けて凸曲面状またはテーパ状に傾斜して配されている。
【００７４】
フード部１２の左右外壁部には、ストッパ３３が外側に過度に撓み変形するのを規制する過度撓み規制部５０が設けられている。過度撓み規制部５０は、対向するストッパ３３より薄肉の板片状をなし、端縁部３４において前後中央側のスリット３５を覆うとともに、ストッパ３３の前後中央側の縁部に沿って配され、同縁部を覆うように張り出し形成されている。
【００７５】
ムービングプレート１８の周壁部２０の左右両側壁部には、図２１に示すように、ガイド溝２２を挟んだ前後両側の離れた位置に、周壁部２０の上端縁から下方へ切欠した一対ずつの凹溝５１が設けられ、さらに、凹溝５１の上端の開口を跨ぐようにしてブリッジ部５２が架設されている。凹溝５１内には、ストッパ３３及び解除部４３が進入可能とされている。ブリッジ部５２は、周壁部２０の上端縁における凹溝５１とガイド溝２２のそれぞれの開口縁部を補強する機能をはたす。
【００７６】
周壁部２０の左右両側壁部には、凹溝５１の前後中央側の縁部の下端から上下中間部にかけて一対ずつのストッパ受部５３が沿設されている。ストッパ受部５３の外面には、上下方向に延びて下端に開口する凹所５４が設けられている。ストッパ受部５３の上端部には、角ブロック状のストッパ本体受部５５が設けられている。ストッパ本体受部５５の下面は、凹所５４の上端を閉塞する前後方向に沿った係止受面５６とされている。ストッパ受部５３の凹所５４内には、ストッパ３３の係止突起３６が進入可能とされている（図１６を参照）。
【００７７】
ムービングプレート１８が保護位置にあるときに、各ストッパ本体受部５５の係止受面５６には、各ストッパ３３の係止面３８が係止可能に当接して配される。これにより、ムービングプレート１８が退避位置へ向けて移動するのが規制される。このとき、各ストッパ３３の解除面３９は、各ストッパ本体受部５５から位置ずれし、ムービングプレート１８の凹溝５１に臨むように配される。
【００７８】
また、ムービングプレート１８が保護位置にある状態で、雌側ハウジング４０がフード部１２内に浅く嵌合されると、雌側ハウジング４０の各解除部４３及び両カムピン４１がそれぞれムービングプレート１８の各凹溝５１及び両ガイド溝２２に進入する。雌側ハウジング４０の嵌合が進むと、各解除部４３は各ストッパ３３の解除面３９に当接して解除面３９を押圧し、各ストッパ３３が外側に撓み変形させられる（図１７を参照）。これにより、各ストッパ３３の係止面３８が各ストッパ本体受部５５の係止受面５６から離間し、各ストッパ３３と各ストッパ受部５３との係止が解除され、ムービングプレート１８が退避位置へ向けて移動可能な状態になる。各ストッパ３３はその撓み方向で過度撓み規制部５０と当接することにより、外側への過度撓みが規制される。
【００７９】
ここで、フード部１２の左右外壁部は、レバー２４の両アーム部２５によってそれぞれ覆われ、外面に両アーム部２５が近接して配されることになる（図１９を参照）。このため、ストッパ３３が過度撓み規制部５０と当接することで、ストッパ３３とアーム部２５との干渉を回避することが可能となっている。
【００８０】
レバー２４が嵌合位置へ向かう初期段階において、各ストッパ本体受部５５及び各解除部４３がそれぞれ各係止突起３６を通過し、各係止突起３６が各解除部４３の背面側のスペースに進入し、各ストッパ３３が元の状態（自然状態）に弾性的に復帰する。
【００８１】
一方、両ハウジング１０、４０が離脱する際に、ムービングプレート１８が退避位置から保護位置に移動する過程では、各ストッパ本体受部５５が各係止突起３６の傾斜面３７に摺接し、各ストッパ３３が外側へ撓み変形させられる。ムービングプレート１８が保護位置に至ると、各ストッパ本体受部５５が各係止突起３６を通過して、各ストッパ３３が元の状態に弾性的に復帰し、且つ各ストッパ本体受部５５の係止受面５６が各ストッパ３３の係止面３８に対面して当接し、ムービングプレート１８が再び保護位置に保持される。
【００８２】
ところで、上記の場合、両ハウジング１０、４０が離脱した場合に、ムービングプレート１８のカム突起２３がカム溝２８の嵌合用カム面２９を係止する構造を採らないため、レバー２４側にムービングプレート１８が退避位置へ落ち込むのを防止する構造を形成することができないという事情がある。これに鑑み、上記においては、雄側ハウジング１０のストッパ３３がムービングプレート１８のストッパ受部５３を係止する構造を採用しており、これによって、ムービングプレート１８が不用意に退避位置に落ち込むことがなく、保護位置のムービングプレート１８によってタブ１７が信頼性良く保護されるようにしてある。
【００８３】
また、ストッパ受部５３がムービングプレート１８の周壁部２０に設けられているため、プレート本体部１９がストッパ受部５３によって構造上の制約を受けることがなく、タブ１７の配置の自由度を高めることができる。
【００８４】
また、ストッパ３３とアーム部２５との間にはストッパ３３を覆う過度撓み規制部５０が設けられているため、ストッパ３３が過度撓み規制部５０と当接することでアーム部２５と干渉するのが回避され、レバー２４の回動操作を支障なく行うことができる。
【００８５】
また、ストッパ３３の上端部にストッパ受部５３を係止可能な係止突起３６が設けられ、係止突起３６にはムービングプレート１８が保護位置へ向かう過程でストッパ受部５３が摺動する傾斜面３７が設けられているため、ムービングプレート１８が保護位置へ向かう過程で、ストッパ３３が円滑に撓み変形することができる。
【００８６】
さらに、係止突起３６には係止面３８と解除面３９とがそれぞれ分割して設けられているため、ストッパ受部５３に対する係止構造（係止面３８）と、解除部４３に対する解除構造（解除面３９）とを、それぞれにふさわしい形態で形成することができる。また、係止面３８と解除面３９とが同一面で形成される場合に比べ、両面３８、３９の摩耗の進行を抑えることができる。
【００８７】
＜詳細態様２＞
次に、レバー２４のカム溝２８に連通する溝形状（後述する待機溝５７）とそれに関連する部分の詳細な構造及び作用を主に図２２〜図２５を参照して説明する。
【００８８】
雄側ハウジング１０は、図２３に示すように、端子保持部１１の下端部に、前方へ突出する張出片５８を有している。雄側ハウジング１０は図示しないブラケットに嵌め込まれるが、張出片５８がブラケットに当接することで、雄側ハウジング１０の必要以上の嵌め込みを規制することが可能となっている。
【００８９】
レバー２４の両アーム部２５の内側面には、カム溝２８の入口２８Ｅ側に対し、逃がし空間３１の入口３１Ｅとは反対側で、隣接して連通し、且つカム溝２８の長さを増す方向に延びる一対の待機溝５７が設けられている（図２４を参照）。両待機溝５７は、それぞれ、カム溝２８の溝幅（嵌合用カム面２９と離脱用カム面３０との間の離間距離）よりも小さい溝幅で形成されている。待機溝５７の両溝面（溝幅方向で対向する面）のうち、軸受孔２７に近い側の溝面は、離脱用カム面３０とほぼ段差無く連なっている。待機溝５７の両溝面は、カム作用を発揮せず、カム突起２３及びカムピン４１のいずれとも係合（カム係合）することがない。
【００９０】
図２５（Ａ）、（Ｂ）に示すように、待機溝５７の深さ（アーム部２５の板厚方向におけるアーム部２５の内側面からの距離）は、カム溝２８の深さより小さくされている。待機溝５７とカム溝２８との間には深さ方向（アーム部２５の板厚方向）の段差５９が設けられ、カム溝２８の底面は待機溝５７の底面より一段落ちて配されている。段差５９は、深さ方向に切り立つように配され、カム溝２８の溝幅方向に沿って入口２８Ｅ側との連通部位を部分的に区画する壁面として構成される。
【００９１】
ところで、カム溝２８の深さはカム突起２３及びカムピン４１のそれぞれの突出寸法より大きくされ、カム溝２８にはカム突起２３及びカムピン４１が進入可能となっている。一方、待機溝５７の深さは、カム突起２３の突出寸法より小さく、且つカムピン４１の突出寸法より大きくされている。このため、待機溝５７には、カム突起２３の進入は許容されるものの、カムピン４１の進入は規制される。カムピン４１は、突出方向の先端部がカム溝２８の入口２８Ｅ側において段差５９と干渉することにより、待機溝５７側に入り込むのが阻止される。
【００９２】
両アーム部２５には、操作部２６から離れた幅広部分に、カム溝２８、待機溝５７及び逃がし空間３１が設けられ、操作部２６側の幅狭部分の内側面に、有底凹状の一対の保持部６０が設けられている（図２４を参照）。
【００９３】
レバー２４は、雄側ハウジング１０に跨るように組み付けられ、回動軸１３を中心として、初期位置と嵌合位置との間、及び初期位置と待機位置との間を、回動可能とされている。初期位置では、操作部２６が雄側ハウジング１０の上端部から前方に突出して配される（図１、２を参照）。嵌合位置では、操作部２６が雄側ハウジング１０の上端部から上方に突出して配される（図３を参照）。
【００９４】
待機位置では、操作部２６が雄側ハウジング１０の下端部から前方に突出し、張出片５８と近接して配される（図２２、２３を参照）。このため、操作部２６に上方から図示しない他部材が押圧しても、その押圧力を張出片５８で受け止めることができ、レバー２４に過大な応力が発生することはない。また、下方の位置から上方へ向けて進行する他部材は、張出片５８に当接することで、レバー２４と干渉することがない。このため、レバー２４は、待機位置にて保護され、操作部２６に不用意な操作力が加わるのが阻止される。
【００９５】
両ハウジング１０、４０の嵌合時に、仮に、作業者が誤ってレバー２４を嵌合位置に向かう側とは反対側の待機位置側へ回動しようとすると、カム溝２８の入口２８Ｅ側に進入したカムピン４１が段差５９と当接し、カムピン４１が待機溝５７側に移行するのを阻止する。したがって、両ハウジング１０、４０の嵌合時にレバー２４が初期位置から待機位置へと誤操作される事態が回避される。
【００９６】
また、両ハウジング１０、４０が離脱した状態で、操作部２６に対して待機位置側への押圧力を付与すると、カム突起２３が待機溝５７側に移行し、ムービングプレート１８が保護位置に保持された状態のまま、レバー２４が待機位置に至ることができる。待機位置では、両アーム部２５の保持部６０がフード部１２の外側面の前端側に設けられた保持受部６１（図２０を参照）に係止されることで、レバー２４が雄側ハウジング１０に対して回動規制状態に保持される。
【００９７】
カム突起２３は、レバー２４が初期位置と待機位置との間を回動する間、待機溝５７内において待機溝５７の溝面に係合することはなく、ムービングプレート１８は保護位置に留め置かれた状態を維持する。尚、ムービングプレート１８が保護位置にあるときに、プレート本体部１９から上方に突出する各タブ１７の最先端部分に図示しないプローブピンを当接させることにより、各雄端子金具１５の導通検査を行うことが可能となる。
【００９８】
このように、レバー２４が初期位置に保持され、雌側ハウジング４０がフード部１２内に浅く嵌合された状態では、カムピン４１がカム溝２８の入口２８Ｅ側に進入するものの、段差５９によってカムピン４１の待機溝５７への進入が規制されるため、両ハウジング１０、４０の嵌合時にレバー２４が初期位置から待機位置に誤って回動するのが阻止される。したがって、両ハウジング１０、４０の嵌合作業を円滑かつ迅速に行うことができる。
【００９９】
＜他の実施例＞
本発明は上記記述及び図面によって説明した実施例に限定されるものではなく、例えば次のような実施例も本発明の技術的範囲に含まれる。
（１）上記実施例では、両ハウジングが離脱した状態でレバーを初期位置から嵌合位置へ回動する過程で、ムービングプレートは保護位置に保持されているが、レバーの回動過程でムービングプレートが僅かに退避位置側へ移動するようになっていてもよい。
（２）上記実施例では、カム溝が逃がし空間より回動軸に近い内周側に配されているが、これとは逆に、逃がし空間がカム溝より回動軸に近い内周側に配されていてもよい。この場合、離脱用カム面は、カム溝とは異なる溝部（空間）に形成すればよい。
（３）上記実施例では、逃がし空間の外周縁に沿った規制面を形成したが、逃がし空間は、規制面が形成されておらず、レバーの外周縁に開放された形態であってもよい。
（４）上記実施例では、カム溝の入口と逃がし空間の入口が隣接して連通しているが、カム溝の入口と逃がし空間の入口は別々の空間であってもよい。
（５）上記実施例では、ムービングプレートのカム突起が待機溝内で待機溝の溝面に係合しない構成としたが、カム突起は、待機溝内に進入して待機溝の溝面に係合し、レバーの回動操作によってカム作用が発揮されるものであってもよい。例えば、ムービングプレートが、保護位置においてタブの先端部をプレート本体部から突出させない構造とし、レバーが初期位置から嵌合位置へ回動する過程で、カム突起が待機溝の溝面に押圧され、ムービングプレートが退避位置へ向けて移動し、タブの最先端部分がプレート本体部から突出して、導通検査を行うことが可能な状態になるものであってもよい。
（６）上記実施例では、カム溝がレバーのアーム部に有底の溝として形成されていたが、カム溝は、アーム部において板厚方向に貫通する無底の溝として形成されるものであってもよい。この場合、アーム部の板厚がカム溝の深さ寸法に相当する。
（７）上記実施例では、ストッパが雄側ハウジングに撓み変形可能に設けられ、ストッパ受部がムービングプレートに実質的に撓み変形不能に設けられていたが、逆に、ストッパ受部がムービングプレートに撓み変形可能に設けられ、ストッパが雄側ハウジングに実質的に撓み変形不能に設けられるものであってもよい。
（８）上記実施例では、カム突起がガイド溝を挟んで対をなして設けられていたが、カム突起は、カム溝の離脱用カム面と係合可能な位置に一つだけ設けられるものであってもよい。
【符号の説明】
【０１００】
１０…雄側ハウジング
１２…フード部
１３…回動軸（レバーの回動中心）
１５…雄端子金具
１７…タブ
１８…ムービングプレート
２３…カム突起
２４…レバー
２８…カム溝
２８Ｅ…カム溝の入口
２９…嵌合用カム面
３０…離脱用カム面
３１…逃がし空間
３１Ｅ…逃がし空間の入口
３２…規制面
３３…ストッパ
４０…雌側ハウジング
４１…カムピン
５０…過度撓み規制部
５３…ストッパ受部
５７…待機溝
５９…段差
【図１】
2019234950.tif 000003
【図２】
2019234950.tif 000004
【図３】
2019234950.tif 000005
【図４】
2019234950.tif 000006
【図５】
2019234950.tif 000007
【図６】
2019234950.tif 000008
【図７】
2019234950.tif 000009
【図８】
2019234950.tif 000010
【図９】
2019234950.tif 000011
【図１０】
2019234950.tif 000012
【図１１】
2019234950.tif 000013
【図１２】
2019234950.tif 000014
【図１３】
2019234950.tif 000015
【図１４】
2019234950.tif 000016
【図１５】
2019234950.tif 000017
【図１６】
2019234950.tif 000018
【図１７】
2019234950.tif 000019
【図１８】
2019234950.tif 000020
【図１９】
2019234950.tif 000021
【図２０】
2019234950.tif 000022
【図２１】
2019234950.tif 000023
【図２２】
2019234950.tif 000024
【図２３】
2019234950.tif 000025
【図２４】
2019234950.tif 000026
【図２５】
2019234950.tif 000027
【国際調査報告】
2019234950.tif 000028
2019234950.tif 000029
2019234950.tif 000030
2019234950.tif 000031